(57)【要約】      （修正有）【課題】少なくとも２種類の用品を同時に収容し、衛生的に使用することができる収容箱の構造を提供する。【解決手段】本収容箱は、箱体１０と、該箱体１０に覆設される上蓋２０と、を含む。箱体１０には、分割された２つの独立した収容室１２，１３が設けられ、収容室１２，１３の空間に対応する側壁１２１，１３１の上端には、Ｕ字形切欠１２２，１３２が設けられる。上蓋２０のＵ字形切欠１２２，１３２に対応する周壁２１には、Ｕ字形切欠１２２，１３２の開閉を行う封止蓋２２，２３が設けられる。また、封止蓋２２，２３の下縁には、係合孔２２１，２３１が設けられる。係合孔２２１，２３１と、上蓋２０の周壁２１の表面に設けられる係合突部２１１，２１２とは、封止蓋２２，２３がＵ字形切欠１２２，１３２を封止するとき、嵌合結合される。【選択図】図１
0003160788.tif 000002
【実用新案登録請求の範囲】
【請求項１】
箱体と、箱体に覆設される上蓋と、を含み、
前記箱体には、分割された２つの独立した収容室が設けられ、前記収容室の空間に対応する前記箱体の側壁の上端には、U字形切欠が設けられ、
前記上蓋の前記U字形切欠に対応する周壁には、前記Ｕ字形切欠の開閉を行う封止蓋が設けられ、前記封止蓋の下縁には、係合孔が設けられ、前記係合孔と、前記上蓋の周壁の表面に設けられる係合突部とは、前記封止蓋が前記U字形切欠を封止するとき、嵌合結合されることを特徴とする収容箱の構造。
【請求項２】
前記箱体は、略桶状であり、隔板により分割された２つの独立した空間が設けられ、前記空間に対応する前記箱体の側壁の上端には、U字形切欠が設けられることを特徴とする請求項１記載の収容箱の構造。
【請求項３】
前記箱体の側壁の上方と、前記上蓋の内側と、には、前記箱体と前記上蓋とを組み合わせて位置決めするための係合機構が設けられることを特徴とする請求項１記載の収容箱の構造。
【請求項４】
前記箱体の側壁の上方には、少なくとも１つの嵌合溝が設けられ、前記上蓋の内側の前記嵌合溝に対応する位置には、係合部が設けられ、前記箱体に前記上蓋が覆設されるとき、前記係合部は、前記嵌合溝に係合位置決めされることを特徴とする請求項１記載の収容箱の構造。
【請求項５】
前記上蓋には、前記Ｕ字形切欠に対応して一体成形され、前記Ｕ字形切欠の開閉を行う封止蓋が設けられ、前記封止蓋の下縁には、係合孔が設けられ、前記係合孔と、前記上蓋の周壁の表面の係合突部とは、前記封止蓋が前記Ｕ字形切欠を封止するとき、嵌合結合されることを特徴とする請求項１記載の収容箱の構造。
【請求項６】
前記上蓋の封止蓋の下縁の内面に設けられる凹陥部上には、係合孔が設けられ、前記係合孔と、前記上蓋の周壁の表面の係合突部とは、前記封止蓋が前記Ｕ字形切欠を封止するとき、嵌合結合されることを特徴とする請求項１記載の収容箱の構造。
【請求項７】
箱体と、前記箱体に覆設される上蓋と、を含み、
前記箱体には、分割された２つの独立した収容室が設けられ、前記収容室に対応する前記箱体の側壁の上端には、U字形切欠が設けられ、
前記上蓋の前記U字形切欠に対応する周壁には、前記Ｕ字形切欠の開閉を行う封止蓋が設けられることを特徴とする収納箱体の構造。
【請求項８】
前記箱体は、略桶状であり、隔板により分割された少なくとも２つの独立した空間を有し、前記空間に対応する前記箱体の側壁の上端には、Ｕ字形切欠が設けられることを特徴とする請求項７記載の収容箱の構造。
【請求項９】
前記上蓋は、回動可能に前記箱体に覆設され、前記上蓋の前記Ｕ字形切欠に対応する外周壁には、回動させることにより、前記Ｕ字形切欠の開閉を行う封止蓋が設けられることを特徴とする請求項７記載の収容箱の構造。
【考案の詳細な説明】
【技術分野】
【０００１】
本考案は、収容箱の構造に関し、特に、棒状の衛生用品または生活用品を収容するのに使用され、少なくとも２種類の用品を同時に収容することができる収容箱の構造に関する。
【背景技術】
【０００２】
現在市販されている柄付きデンタルフロス、綿棒、爪楊枝、歯間ブラシなどの衛生用品は、何れも所定の数量が１つの箱体内に収容され、必要なとき、箱体の蓋を開けて取り出して使用する。本考案の考案者は、これらの衛生用品をより衛生的に使用するため、衛生用品が箱体から落下するのを防止することができる特許文献１および特許文献２の実用新案を案出した。これにより、衛生用品をより衛生的に、便利に使用することが可能となった。
【０００３】
しかし、柄付きデンタルフロスおよび綿棒を例に挙げると、何れも、家庭または公共の場所において、同一のユーザまたは様々なユーザに必要とされる。従って、卓上、受付または車内などの空間に配置する場合、柄付きデンタルフロスが収容された箱体と、綿棒が収容された箱体と、をそれぞれ配置する必要がある。そのため、空間が占有される上、取り出すのにも不便であるという問題が発生していた。さらに、柄付きデンタルフロスおよび綿棒は、何れも綿糸または綿体を含むため、開封後、放置期間が長くなるほど空気に長く曝され、水分または粉塵により汚染されやすくなる。即ち、従来の衛生用品の箱体は、衛生的に問題があるため、改善の必要があった。
【先行技術文献】
【特許文献】
【０００４】
【特許文献１】台湾専利第１８７３７７号
【特許文献２】台湾専利第２７５８８１号
【考案の概要】
【考案が解決しようとする課題】
【０００５】
本考案の第１の目的は、２種類の衛生用品または日常生活用品を同時に収容することができることにより、占有される空間を低減できる上、衛生用品または日常生活用品を便利に取り出すことができる収容箱の構造を提供することにある。
本考案の第２の目的は、少数の衛生用品または日常生活用品を収容することができるため、開封後から物品を使用し終わるまでの時間を短縮することができ、物品を経済的で便利に使用することができる収容箱を提供することにある。
【課題を解決するための手段】
【０００６】
上述の課題を解決するために、本考案の収容箱は、箱体と、箱体に覆設される上蓋と、を含む。箱体には、分割された２つの独立した収容室が設けられ、収容室の空間に対応する箱体の側壁の上端には、U字形切欠が設けられる。上蓋の箱体のU字形切欠に対応する外周壁には、Ｕ字形切欠の開閉を行う封止蓋が設けられる。また、封止蓋の下縁には、係合孔が設けられる。係合孔と、上蓋の周壁の表面に設けられる係合突部とは、封止蓋がU字形切欠を封止するとき、嵌合結合される。
すなわち、本考案は下記の特徴を有する。
（１）箱体と、箱体に覆設される上蓋と、を含み、
前記箱体には、分割された２つの独立した収容室が設けられ、前記収容室の空間に対応する前記箱体の側壁の上端には、U字形切欠が設けられ、
前記上蓋の前記U字形切欠に対応する周壁には、前記Ｕ字形切欠の開閉を行う封止蓋が設けられ、前記封止蓋の下縁には、係合孔が設けられ、前記係合孔と、前記上蓋の周壁の表面に設けられる係合突部とは、前記封止蓋が前記U字形切欠を封止するとき、嵌合結合されることを特徴とする収容箱の構造。
（２）前記箱体は、略桶状であり、隔板により分割された２つの独立した空間が設けられ、前記空間に対応する前記箱体の側壁の上端には、U字形切欠が設けられることを特徴とする（１）記載の収容箱の構造。
（３）前記箱体の側壁の上方と、前記上蓋の内側と、には、前記箱体と前記上蓋とを組み合わせて位置決めするための係合機構が設けられることを特徴とする（１）記載の収容箱の構造。
（４）前記箱体の側壁の上方には、少なくとも１つの嵌合溝が設けられ、前記上蓋の内側の前記嵌合溝に対応する位置には、係合部が設けられ、前記箱体に前記上蓋が覆設されるとき、前記係合部は、前記嵌合溝に係合位置決めされることを特徴とする（１）記載の収容箱の構造。
（５）前記上蓋には、前記Ｕ字形切欠に対応して一体成形され、前記Ｕ字形切欠の開閉を行う封止蓋が設けられ、前記封止蓋の下縁には、係合孔が設けられ、前記係合孔と、前記上蓋の周壁の表面の係合突部とは、前記封止蓋が前記Ｕ字形切欠を封止するとき、嵌合結合されることを特徴とする（１）記載の収容箱の構造。
（６）前記上蓋の封止蓋の下縁の内面に設けられる凹陥部上には、係合孔が設けられ、前記係合孔と、前記上蓋の周壁の表面の係合突部とは、前記封止蓋が前記Ｕ字形切欠を封止するとき、嵌合結合されることを特徴とする（１）記載の収容箱の構造。
（７）箱体と、前記箱体に覆設される上蓋と、を含み、
前記箱体には、分割された２つの独立した収容室が設けられ、前記収容室に対応する前記箱体の側壁の上端には、U字形切欠が設けられ、
前記上蓋の前記U字形切欠に対応する周壁には、前記Ｕ字形切欠の開閉を行う封止蓋が設けられることを特徴とする収納箱体の構造。
（８）前記箱体は、略桶状であり、隔板により分割された少なくとも２つの独立した空間を有し、前記空間に対応する前記箱体の側壁の上端には、Ｕ字形切欠が設けられることを特徴とする（７）記載の収容箱の構造。
（９）前記上蓋は、回動可能に前記箱体に覆設され、前記上蓋の前記Ｕ字形切欠に対応する外周壁には、回動させることにより、前記Ｕ字形切欠の開閉を行う封止蓋が設けられることを特徴とする（７）記載の収容箱の構造。
【考案の効果】
【０００７】
少なくとも２種類の衛生用品または日常生活用品を同時に箱体内に収容することができることにより、占有される空間を低減できる上、開封後から物品を使用し終わるまでの時間と、物品が空気に曝される時間と、を短縮することができるため、物品が水分または粉塵などによって汚染されるのを低減し、衛生的で安全に使用することができる。
【図面の簡単な説明】
【０００８】
【図１】本考案の第１実施形態による収容箱を示す分解斜視図である。
【図２】本考案の第１実施形態による収容箱を示す斜視図である。
【図３】本考案の第１実施形態による収容箱を示す断面図である。
【図４】本考案の第１実施形態による収容箱の封止蓋が開いた状態を示す断面図である。
【図５】本考案の第１実施形態による収容箱を他の形状に応用した状態を示す上面透視図である。
【図６】本考案の第１実施形態による収容箱を他の形状に応用した状態を示す上面透視図である。
【図７】本考案の第２実施形態による収容箱を示す分解斜視図である。
【図８】本考案の第２実施形態による収容箱を示す斜視図である（封止蓋が開いた状態）。
【考案を実施するための形態】
【０００９】
本考案の目的、特徴および効果を示す実施形態を図面に沿って詳細に説明する。
【００１０】
（第１実施形態）
図１〜図４を参照する。図１〜図４は、本考案の第１実施形態による収容箱を示す図である。本実施形態による収容箱の構造は、箱体１０と、箱体１０に覆設される上蓋２０と、を含む。
【００１１】
箱体１０は、略桶状であり、隔板１１により分割された２つの独立した収容室１２，１３が設けられる。また、収容室１２，１３の空間に対応する箱体１０の側壁１２１，１３１の上端には、U字形切欠１２２，１３２が設けられる。
【００１２】
上蓋２０のU字形切欠１２２，１３２に対応する周壁２１には、引く方式または回動させる方式により、Ｕ字形切欠１２２，１３２の開閉を行うことができる封止蓋２２，２３が設けられる。封止蓋２２，２３の下縁には、係合孔２２１，２３１が設けられる。係合孔２２１，２３１と、上蓋２０の周壁２１の表面に設けられる係合突部２１１，２１２とは、封止蓋２２，２３がU字形切欠１２２，１３２を封止するとき、嵌合結合される。これにより、柄付きデンタルフロスまたは綿棒などの物品３０を収容室１２，１３内に収容し、封止蓋２２，２３を開けて物品３０を取り出したり、封止蓋２２，２３を閉じたりすることができる。
【００１３】
優れた位置決め効果を達成するため、箱体１０の側壁１２１，１３１の上方と、上蓋２０の内側と、には、箱体１０と上蓋２０とを組み合わせて位置決めするための係合機構が設けられる。係合機構として、箱体１０の側壁１２１，１３１の上方には、少なくとも１つの嵌合溝１２３が設けられ、上蓋２０の内側の嵌合溝１２３に対応する位置には、係合部２０１が設けられる。箱体１０に上蓋２０が覆設されたとき、係合部２０１は、嵌合溝１２３に係合位置決めされる。
【００１４】
また、上蓋２０の封止蓋２２，２３の下縁には、係合孔２２１，２３１が設けられる。係合孔２２１，２３１は、封止蓋２２，２３の下縁に設けられる凹陥部２２０，２３０上に設けられる。係合孔２２１，２３１と、上蓋２０の周壁２１の表面の係合突部２１１，２１２とは、封止蓋２２，２３がU字形切欠１２２，１３２を封止するとき、嵌合結合され、優れた封止効果および美観効果が達成される。
【００１５】
図５および図６を参照する。図５および図６は、本考案の第１実施形態による収容箱の構造を他の形状に応用した状態を示す図である。箱体１０ａ，１０ｂおよび上蓋２０ａ，２０ｂは、互いに対応して覆設される矩形体または多角形体である（図６においては、六角形であるが、これのみに限定されない）。箱体１０ａ，１０ｂは、隔板１１ａ，１１ｂにより、２つの独立した収容室１２ａ，１３ａ，１２ｂ，１３ｂに分割され、物品３０が収容される。また、封止蓋２２ａ，２２ｂ，２３ａ，２３ｂを利用することにより、物品３０を取り出したり、封止したりすることができる。
【００１６】
（第２実施形態）
図７および図８を参照する。図７および図８は、本考案の第２実施形態による収容箱を示す図である。本実施形態による収容箱の構造は、箱体１０と、箱体１０に覆設される上蓋２０と、を含む。
【００１７】
箱体１０は、略桶状であり、隔板１１により分割された２つの独立した収容室１２，１３が設けられる。また、収容室１２，１３の空間に対応する箱体１０の側壁１２１，１３１の上端には、U字形切欠１２２，１３２が設けられる。
【００１８】
上蓋２０のU字形切欠１２２，１３２に対応する周壁２１には、Ｕ字形切欠の開閉を行うことができる封止蓋２２，２３が設けられる。上蓋２０は、箱体１０に係合され、箱体１０に覆設される。上蓋２０を回動させることにより、封止蓋２２，２３は、Ｕ字形切欠１２２，１３２の開閉を行うことができる。
【符号の説明】
【００１９】
１０  箱体
１０ａ  箱体
１０ｂ  箱体
１１  隔板
１１ａ  隔板
１１ｂ  隔板
１２  収容室
１２ａ  収容室
１２ｂ  収容室
１２１  側壁
１２２  Ｕ字形切欠
１２３  嵌合溝
１３  収容室
１３ａ  収容室
１３ｂ  収容室
１３１  側壁
１３２  Ｕ字形切欠
２０  上蓋
２０ａ  上蓋
２０ｂ  上蓋
２０１  係合部
２１  周壁
２１１  係合突部
２１２  係合突部
２２  封止蓋
２２ａ  封止蓋
２２ｂ  封止蓋
２２０  凹陥部
２２１  係合孔
２３  封止蓋
２３ａ  封止蓋
２３ｂ  封止蓋
２３０  凹陥部
２３１  係合孔
３０  物品
【図１】
0003160788.tif 000003
【図２】
0003160788.tif 000004
【図３】
0003160788.tif 000005
【図４】
0003160788.tif 000006
【図５】
0003160788.tif 000007
【図６】
0003160788.tif 000008
【図７】
0003160788.tif 000009
【図８】
0003160788.tif 000010